(57)【要約】      （修正有）【課題】顔面へのフィット性を向上させるゴーグル等の顔面装着具を提供する。【解決手段】レンズと、レンズを支持するフレーム１２とを備えた顔面装着具である。フレーム１２は、レンズを支持するフロント側の部位１３と、装着者の顔面に対向するフェイス側の部位１４と、両者の間をつなぐ周壁部１５とを備える。周壁部１５はサスペンション部２０を備え、サスペンション部２０は、複数の換気用の開口部２１と、開口部２１同士の間のリブ２２とを備える。少なくとも一つの開口部２１は括れ部分を介して連通した小穴部２４を備えており、前後方向の力を受けることによって、サスペンション部２０の前後方向の幅が変化するように、弾性変形可能に構成されている。【選択図】図１
0003227024.tif 000002
【実用新案登録請求の範囲】
【請求項１】
レンズと、前記レンズを支持するフレームとを備え、
前記フレームは、前記レンズを支持するフロント側の部位と、装着者の顔面に対向するフェイス側の部位と、前記フロント側の部位と前記フェイス側の部位との間をつなぐ周壁部とを備え、
前記周壁部は前記フロント側の部位から後方の前記フェイス側の部位へ向けて伸びることによって前記レンズと前記装着者の前記顔面との間に空間を保持するように構成された顔面装着具において、
前記周壁部はサスペンション部を備え、
前記サスペンション部は、複数の換気用の開口部と、前記開口部同士の間のリブとを備え、
前記サスペンション部の少なくとも一つの前記開口部は括れ部分を介して連通した小穴部を備えており、
前記サスペンション部の前後方向の幅が変化するように、弾性変形可能に構成されたことを特徴とする顔面装着具。
【請求項２】
前記サスペンション部の複数の前記開口部は、フィルターシートによって覆われており、
前記開口部は、上下方向から見て多角形をなし、
前記多角形の少なくとも一つの頂点に前記小穴部を備え、
前記小穴部は、円の３分の２以上の円弧によって規定されている略円形状をなしていることを特徴とする請求項１に記載の顔面装着具。
【請求項３】
レンズと、前記レンズを支持するフレームとを備え、
前記フレームは、前記レンズを支持するフロント側の部位と、装着者の顔面に対向するフェイス側の部位と、前記フロント側の部位と前記フェイス側の部位との間をつなぐ周壁部とを備え、
前記周壁部は前記フロント側の部位から後方の前記フェイス側の部位へ向けて伸びることによって前記レンズと前記装着者の前記顔面との間に空間を保持するように構成された顔面装着具において、
前記周壁部はサスペンション部を備え、
前記サスペンション部は、複数の換気用の開口部と、前記開口部同士の間のリブとを備え、
前記複数の開口部は、中央に配置された中央開口部と、前記中央開口部の左右両側に配置された左側開口部と右側開口部との少なくとも３つの開口部を含み、
前記中央開口部と前記左側開口部との間の左斜めリブと、前記中央開口部と前記右側開口部との間の右斜めリブとの間の角度が鈍角であり、
前記サスペンション部は、前後方向の幅が変化するように弾性変形可能に構成されたことを特徴とする顔面装着具。
【請求項４】
前記中央開口部の前方に前側開口部を備え、
前記前側開口部と前記左側開口部との間の左横リブと、前記左斜めリブとの間の角度が鋭角であり、
前記前側開口部と前記右側開口部との間の右横リブと、前記右斜めリブとの間の角度が鋭角であることを特徴とする請求項３に記載の顔面装着具。
【請求項５】
前記フェイス側の部位の後ろ側には、クッション部材が配置されており、
前記フェイス側の部位は、前記周壁部に接続された基部と、前記基部から前記顔面装着具の内側に向けて伸びる延設部とを備え、
前記延設部は、前記顔面装着具の内側から前記基部に向けて伸びる複数のスリット部を備えており、
少なくとも一つの前記スリット部の延長線上に、凹溝部を備えていることを特徴とする請求項１〜４の何れかに記載の顔面装着具。
【考案の詳細な説明】
【技術分野】
【０００１】
本考案は、スキー、スノーボードやスカッシュやバイク走行などのスポーツを行う時に顔面に装着したり、塵埃や花粉症やドライアイの対策用として顔面に装着したりするゴーグル等の顔面装着具に関するものであり、特に、顔面にフィットするように取り付けられるゴーグル等の顔面装着具に関するものである。
【背景技術】
【０００２】
特許文献１〜４に示すように、従来の顔面装着具は、レンズと、前記レンズを支持するフレームとを備えるもので、前記フレームは左右のベルトなどによって着用者の顔面にフィットするように取り付けられる。前記フレームは、前記レンズを支持するフロント側の部位と、装着者の顔面に対向するフェイス側の部位と、前記フロント側の部位と前記フェイス側の部位との間をつなぐ周壁部とを備える。前記フロント側の部位は前記フレームの前面側に配置される。前記周壁部は前記フロント側の部位から後方へ伸びることによって前記レンズと前記装着者の前記顔面との間に空間を保持するように構成されている。
【０００３】
前記フレームは、軟質の合成樹脂などによって成形され、必要に応じて前記フロント側の部位にはスポンジなどのクッション部材が接着剤などによって貼り付けて固定される。前記周壁部には、複数の換気用の開口部と、前記開口部同士の間のリブとが形成され、前記開口部には、多孔質のフィルターシートが貼り付けられる。これらの開口部は、前記レンズの曇り止め等のために、顔面装着具の内外の換気口として機能するものであり、前記フィルターシートは前記開口部を通過する空気に対するフィルターとして機能するものである。
【０００４】
このように、従来の前記周壁部の前記開口部及び前記リブは、換気のために開発されてきたものであり、顔面装着具を着用者の顔面に密着させる観点からの検討は十分に行われていなかった。そのために、前記フレームは多少の柔軟性はあるものの、予め設定されたレンズやフレームの形状が、着用者の顔面の形状と一致しない場合には、顔面装着具を着用者の顔面に密着させることが困難となる場合があり、このような場合には顔面装着具内に外部の空気などが侵入してしまい、空気などの侵入（流入）により顔面装着具が曇りやすくなる。そのため着用者はベルトをきつく締めて対応せざるを得ず、その結果、額が圧迫されるなどの着用感の低下を招いていた。
【０００５】
また、従来の顔面装着具は、前記フェイス側の部位の後ろ側に前述のクッション部材が貼り付けるなどされるが、そのために前記フェイス側の部位は、前記周壁部に接続された基部と、前記基部から前記顔面装着具の内側に向けて伸びる延設部とを備えるものである。この延設部には、前記顔面装着具の内側から前記基部に向けて伸びる複数のスリット部が設けられることにより、顔面、特に鼻周辺へのフィット性を向上させる試みもなされているが、鼻周辺は特に個人差が大きいため隙間が生じやすいため、フィット性をさらに向上させることにより隙間の発生を抑制することができる顔面装着具の開発が求められている。
【先行技術文献】
【特許文献】
【０００６】
【特許文献１】実公平６−７６９６号公報
【特許文献２】実公平６−５７８１号公報
【特許文献３】特開２００１−２３１９０５号公報
【特許文献４】特開２０１６−４９２８０号公報
【考案の概要】
【考案が解決しようとする課題】
【０００７】
本考案は、フレームが一人一人の顔面形状に応じて変形することによって、顔面への密着性を高めて隙間の発生を抑制することができるパーソナルフィッティング性を備えた顔面装着具の提供を課題とする。
本考案は、フレームの周壁部における弾性変形の容易性を高めることによって、フィッティング性を向上させた顔面装着具の提供を課題とする。
本考案は、フレームのフェイス側の部位における弾性変形の容易性を高めることによって、フィッティング性を向上させた顔面装着具の提供を課題とする。
【課題を解決するための手段】
【０００８】
本考案は、レンズと、前記レンズを支持するフレームとを備え、前記フレームは、前記レンズを支持するフロント側の部位と、装着者の顔面に対向するフェイス側の部位と、前記フロント側の部位と前記フェイス側の部位との間をつなぐ周壁部とを備え、前記周壁部は前記フロント側の部位から後方の前記フェイス側の部位へ向けて伸びることによって前記レンズと前記装着者の前記顔面との間に空間を保持するように構成された顔面装着具において、次の手段を備えたものを提供する。
【０００９】
本考案の顔面装着具においては、前記周壁部がサスペンション部を備える。前記サスペンション部は、複数の換気用の開口部と、前記開口部同士の間のリブとを備える。前記サスペンション部の少なくとも一つの前記開口部は括れ部分を介して連通した小穴部を備えており、前記サスペンション部の前後方向の幅が変化するように、弾性変形可能に構成されたものである。
【００１０】
また、本考案の顔面装着具においては、前記周壁部がサスペンション部を備える。前記サスペンション部は、複数の換気用の開口部と、前記開口部同士の間のリブとを備える。前記複数の開口部は、中央に配置された中央開口部と、前記中央開口部の左右両側に配置された左側開口部と右側開口部との少なくとも３つの開口部を含む。前記中央開口部と前記左側開口部との間の左斜めリブと、前記中央開口部と前記右側開口部との間の右斜めリブとの間の角度が鈍角であり、前記サスペンション部は、前後方向の幅が変化するように弾性変形可能に構成されたものである。
【００１１】
従って、本考案の顔面装着具は、下記の手段を備えたものとすることが好ましい。前記周壁部がサスペンション部を備える。前記サスペンション部は、複数の換気用の開口部と、前記開口部同士の間のリブとを備える。前記サスペンション部の少なくとも一つの前記開口部は括れ部分を介して連通した小穴部を備えている。前記括れ部分又は前記小穴部は、その前後方向の幅が変化するように、弾性変形可能に構成されたものである。加えて前記複数の開口部は、中央に配置された中央開口部と、前記中央開口部の左右両側に配置された左側開口部と右側開口部との少なくとも３つの開口部を含むものとする。前記中央開口部と前記左側開口部との間の左斜めリブと、前記中央開口部と前記右側開口部との間の右斜めリブとの間の角度が鈍角である。
これらの手段により、前記サスペンション部は、前後方向からの力を受けると、括れ部分又は小穴部の前後方向の幅が小さくなることによってリブがスムーズに弾性変形し、サスペンション部の前後方向の幅が小さくなる。また、顔の大きな人が着用した場合等、フレームの曲率半径が大きくなるように力を受けると、括れ部分又は小穴部の前後方向の幅が大きくなるように、サスペンション部が弾性変形することができる。
【００１２】
加えて本考案は、前記サスペンション部の複数の前記開口部は、フィルターシートによって覆われており、前記開口部は、上下方向から見て多角形をなし、前記多角形の少なくとも一つの頂点に前記小穴部を備え、前記小穴部は、円の３分の２以上の円弧によって規定されている略円形状をなしているものとして実施することも好ましい。
【００１３】
加えて本考案は、前記中央開口部の前方に前側開口部を備え、前記前側開口部と前記左側開口部との間の左横リブと、前記左斜めリブとの間の角度が鋭角であり、前記前側開口部と前記右側開口部との間の右横リブと、前記右斜めリブとの間の角度が鋭角であるものとして実施することも好ましい。
【００１４】
加えて本考案は、前記フェイス側の部位の後ろ側には、クッション部材が配置されており、前記フェイス側の部位は、前記周壁部に接続された基部と、前記基部から前記顔面装着具の内側に向けて伸びる延設部とを備え、
前記延設部は、前記顔面装着具の内側から前記基部に向けて伸びる複数のスリット部を備えており、
少なくとも一つの前記スリット部の延長線上に、凹溝部を備えているものとして実施することも好ましい。
【考案の効果】
【００１５】
本考案は、フレームが一人一人の顔面形状に応じて変形することによって、顔面への密着性を高めて隙間の発生を抑制することができるパーソナルフィッティング性を備えた顔面装着具を提供することができたものである。
本考案は、フレームの周壁部における弾性変形の容易性を高めることによって、フィッティング性を向上させた顔面装着具を提供することができたものである。
本考案は、フレームのフェイス側の部位における弾性変形の容易性を高めることによって、フィッティング性を向上させた顔面装着具を提供することができたものである。
【００１６】
本考案の実施形態に係る顔面装着具は、フィット性が向上する結果、ベルトをきつく締めなくても、種々の形態の顔に隙間なく均一にフィットするため、長時間使用しても圧迫感を抑制することができ快適に着用することができる。
即ち、従来は空気などの侵入（流入）によりゴーグルが曇りやすくなるため、ベルトをきつく締める必要があり、額や頬等が部分的に圧迫される場合があったが、パーソナルフィッティング性を高めた本考案の顔面装着具にあっては、ベルトをきつく締めなくても、個々の顔に合わせて全体的（均一的）に力を分散されることができ、装着感の低下を抑制することができる。
また、本考案の実施形態に係る顔面装着具は、顔面装着具に対して前方などから衝撃を受けた場合でも、フレームの周壁部がサスペンションとして機能して、その衝撃を拡散して緩和することができる。その結果、レンズの厚みや強度にかかわらず、レンズの変形を抑制することができると共に、着用者の顔面に加わる衝撃を緩和することができる。
【図面の簡単な説明】
【００１７】
【図１】本考案の実施の形態に係る顔面装着具のフレームを斜め後方から見た斜視図。
【図２】同フレームの平面図。
【図３】同フレームの底面図。
【図４】（Ａ）は同フレームの背面図、（Ｂ）は図４（Ａ）のｂ−ｂ線拡大断面図、（Ｃ）は図４（Ａ）のｃ−ｃ線拡大断面図である。
【図５】レンズ、フィルターシート及びクッション部材の左半分を切除した状態の同顔面装着具の斜視図。
【図６】（Ａ）は同フレームのサスペンション部の要部拡大平面図であり、（Ｂ）はサスペンション部に前後方向からの力が加わった状態の平面図である。
【図７】（Ａ）（Ｂ）（Ｃ）はそれぞれ同フレームの開口部の他の実施の形態を示す平面図である。
【考案を実施するための形態】
【００１８】
以下、図１〜図６を参照して本考案の実施の形態を説明する。
【００１９】
（全体の概要）
この実施の形態に係る顔面装着具はゴーグルとして実施されたもので、特に図５に示されるように、レンズ１１と、レンズ１１を支持するフレーム１２とを備える。フレーム１２は、軟質合成樹脂やゴム系素材などの弾性変形可能な素材によって形成され、大きく分けて、環状をなすフロント側の部位１３、環状をなすフェイス側の部位１４及び周壁部１５の各部から構成される。
【００２０】
フロント側の部位１３は、レンズ１１を支持する顔面装着具の前面側に配置されているもので、この例ではレンズ１１の周縁部が嵌め入れられる溝が内周側に設けられている。
フェイス側の部位１４は、図１、図４などに示されるように、顔面装着具の後面側に配置されているもので、装着者の顔面（図示せず）に対向する。このフェイス側の部位１４には、図５に示すように、発泡樹脂などによって構成されるスポンジ製などのクッション部材１８が接着剤などで固定されるが、クッション部材１８を省略して実施することもできる。
周壁部１５は、図１、図２などに示されるように、フロント側の部位１３とフェイス側の部位１４をつなぐもので、フロント側の部位１３からフェイス側の部位１４に向けて後方へ伸びることによってレンズ１１と装着者の顔面との間に空間を保持するように構成されている。周壁部１５の上面の略全体と、下面の左右には開口部２１を備えたサスペンション部２０が配置され、左右の両側にはベルト（図示せず）を通すなどして取り付けるためのベルト支持部１６が設けられている。
【００２１】
（サスペンション部２０について）
サスペンション部２０には、周壁部１５を内外に貫通して形成された換気用の開口部２１が複数個設けられている。開口部２１と開口部２１との間は比較的細いリブ２２が設けられており、このリブ２２によって、フロント側の部位１３とフェイス側の部位１４とがつながれている。言い換えれば、開口部２１は、その周囲がリブ２２とフロント側の部位１３とフェイス側の部位１４との何れかによって囲まれた空間であると言える。この開口部２１の形状は、三角形や四角形など種々の多角形とすることができ、図２の中央前方の７角形状の開口部２１（Ａ）のように変形した多角形でも構わないし、その少なくとも一辺が弓状などの曲線の略多角形であったり、円形や楕円形などであったりしても構わない。また開口部は、図７（Ａ）に示す開口部２１や、図７（Ｂ）に示す開口部２１のように様々に変更して実施することができるし、図７（Ｃ）に示すように全ての開口部２１が、後述の括れ部分２３と小穴部２４を備えたものである必要はない。
これらの開口部２１は、図５に示すように、顔面装着具内外の換気に際して異物の侵入などを抑制するために、発泡樹脂製や不織布製のフィルターシート１７によって覆われている。
【００２２】
（小穴部２４について）
これらの開口部２１の少なくとも一つは、図６（Ａ）に示すように、その端部に小穴部２４を備えているものとして実施することが適当である。小穴部２４が設けられる位置は特には問わないが、開口幅の小さな括れ部分２３を介して開口部２１の本体とつながっていることが適当である。小穴部２４は開口部２１よりも開口面積が小さいが、括れ部分２３はその開口幅が開口部２１及び小穴部２４の開口幅よりも小さくなっている。小穴部２４の形状は、平面視において、様々な形状で実施することができるが、力の分散を考慮すると略円形状や略楕円形状をなしているものであることが好ましい。具体的には円の３分の２以上（２４０度以上）の円弧によって規定されていることが適当である。
【００２３】
このサスペンション部２０は、図６（Ｂ）に示すように、前後方向（図の上下方向）からの力を受けると、括れ部分２３又は小穴部２４の前後方向の幅が小さくなることによってリブ２２がスムーズに弾性変形し、サスペンション部２０の前後方向の幅が小さくなる。また、顔の大きな人が着用した場合等、フレーム１２の曲率半径が大きくなるように力を受けると、括れ部分２３又は小穴部２４の前後方向の幅が大きくなるように、サスペンション部２０が弾性変形することができる。
【００２４】
（開口部２１の配置について）
本考案における開口部２１は、サスペンション部２０の弾性変形性を高めるために様々な配置形態で実施することができるが、この実施の形態のサスペンション部２０における開口部２１の配置は、図６に示すように、中央の中央開口部２１（Ｃ）の左右に、左側開口部２１（Ｌ）と右側開口部２１（Ｒ）とが配置されている。
【００２５】
またさらに、中央開口部２１（Ｃ）の前方には前側開口部２１（Ｆ）が配置されたものとして実施することができる。
中央開口部２１（Ｃ）と左側開口部２１（Ｌ）との間には左斜めリブ２２（SL）が設けられており、中央開口部２１（Ｃ）と右側開口部２１（Ｒ）との間には、右斜めリブ２２（SR）が設けられている。また、前側開口部２１（Ｆ）と左側開口部２１（Ｌ）との間には左横リブ２２（HL）が設けられており、前側開口部２１（Ｆ）と右側開口部２１（Ｒ）との間には、右横リブ２２（HR）が設けられている。これらの４つのリブは集合部２５に向けて集まっていると言うこともでき、この集合部２５は、中央開口部２１（Ｃ）の一つの頂点と前側開口部２１（Ｆ）の一辺との間に位置している。
【００２６】
この図６の例では、左横リブ２２（HL）と右横リブ２２（HR）は略直線上に連続している。また、左斜めリブ２２（SL）と右斜めリブ２２（SR）とがなす角度は鈍角である。そして、左斜めリブ２２（SL）と左横リブ２２（HL）とがなす角度は鋭角である。より好ましくは、左斜めリブ２２（SL）と右斜めリブ２２（SR）とがなす角度は１２０度以上であり、左斜めリブ２２（SL）と左横リブ２２（HL）とがなす角度と、右斜めリブ２２（SR）と右横リブ２２（HR）とがなす角度とはそれぞれ３０度以下である。
【００２７】
このように左斜めリブ２２（SL）と右斜めリブ２２（SR）とがなす角度は鈍角であり、両者の間に他のリブが存在しないため、言い換えれば中央開口部２１（Ｃ）が鈍角三角形などの鈍角を備えた多角形であるため、前後方向に力が加わった場合に左斜めリブ２２（SL）と右斜めリブ２２（SR）がさらにその角度を広げるように変形しやすい構造となっており、サスペンション部２０の前後幅が小さくなるように弾性変形しやすい構造となっている（図６（Ｂ）参照）。
さらに、前述の小穴部２４が、左側開口部２１（Ｌ）と右側開口部２１（Ｒ）のそれぞれに、集合部２５を挟んで設けられているために、前後方向の力が加わった場合、左斜めリブ２２（SL）と左横リブ２２（HL）との間の間隔並びに右斜めリブ２２（SR）と右横リブ２２（HR）との間の間隔が小さくなるように弾性変形しやすい構造となっている。
【００２８】
このように前後方向の力を受けた際に、括れ部分２３と小穴部２４の作用によって、開口部２１とリブ２２の配列構造の如何に関わらず、括れ部分２３と小穴部２４が変形することによって、一つ一つの開口部２１及びリブ２２が変形しやすい構造となっている。
また、上述した開口部２１とリブ２２の配列構造の作用によって、括れ部分２３と小穴部２４の存在の如何に関わらず、開口部２１とリブ２２が変形しやすいものである。
従ってサスペンション部２０は、この二つの構造による相乗効果によって、前後方向の力を受けた際に、良好な弾性変形性を示すものであり、その結果、この実施の形態に係る顔面装着具は、前後方向の幅が弾性変形によって変化するサスペンション構造を総合的に備えたものと言えるものである。
【００２９】
（フェイス側の部位１４について）
次に、フェイス側の部位１４は、図１及び図４に示されるように、クッション部材１８を支持するために全体的には平たい帯状をなした環状面となっているが、平たい帯状をなした環状面はその環状の形状が変形しにくい形状であるとも言える。その結果、個々の着用者の顔面形状の差異には柔軟に対応しにくい形状であるとも言える。
【００３０】
これに対して本考案の実施の形態にあっては、フェイス側の部位１４の略全周に設けられたスリット部４３に加えて凹溝部４４を設けることによって、フレーム１２に加わる圧力がスリット部４３から凹溝部４４へ伝わることで、スリット部４３の変形の自由度が高まり、着用者の鼻の幅や高さや、顔面の凹凸に合わせて自在に変形することができる。これによりそれぞれの着用者の顔面違和感なく馴染むことができ、心地良い装着感を実現するパーソナルフィッティング可能な構造となっている。なお、凹溝部４４は全てのスリット部４３に対応して設ける必要はなく、一部のスリット部４３のみに対応して設けるものでも構わない。
【００３１】
より具体的な構造は、図４（Ｂ）（Ｃ）に示すように、フェイス側の部位１４は、周壁部１５に接続された基部４１と、基部４１から顔面装着具の少なくとも内側に向けて伸びる延設部４２とを備える。延設部４２は基部４１から顔面装着具の内側と外側との両方に伸びるものであっても構わない。延設部４２には、顔面装着具の内側から外側の基部４１に向けて伸びるスリット部４３が複数箇所に形成されている。さらにスリット部４３の延長線上には、外側に向けて凹溝部４４が形成されている。スリット部４３は延設部４２を厚み方向に貫通しているものであるが、凹溝部４４は貫通するまでに至らず、溝状の凹みとなっているものである。この凹溝部４４は、基部４１や延設部４２の背面側（即ち後側）の表面よりも高さが低くなっているものである。なおこの例では、凹溝部４４は、フェイス側の部位１４の外周まで達しているが途中で止まるものであっても構わないし、徐々に溝の深さが浅くなるものであっても構わない。またこの凹溝部４４は延設部４２の背面側の面に形成されたものでも構わないし、正面側の面に形成されたものでも構わないし、双方の面に形成されたものでも構わない。
このような凹溝部４４をスリット部４３の延長線上に設けるこれにより、それぞれの着用者の顔面違和感なく馴染むことができ、心地良い装着感を実現するパーソナルフィッティングを実現できるものである。
【００３２】
以上、本考案は、スポーツ用、医療用、防疫用、ドライアイ対策用、花粉症対策用、防塵用、医療用眼鏡など、風や異物からの目や顔面の保護など種々の目的に利用されるものに適用することができる。レンズの個数は、左右のレンズが繋がった１眼のレンズであってよく、左右１枚ずつの２眼のレンズなど、複数枚のレンズを用いたものであっても構わない。フレームの顔面への取り付け手段は、ベルトの他、テンプルやモダンを用いたものでもよく、本考案はベルト装着式のゴーグルの他、サングラスやメガネでに変更して実施しても構わない。
【符号の説明】
【００３３】
１１  レンズ  
１２  フレーム  
１３  フロント側の部位  
１４  フェイス側の部位  
１５  周壁部  
１６  ベルト穴  
１７  フィルターシート  
１８  クッション部材  
２０  サスペンション部  
２１  開口部  
２１（Ａ）開口部  
２１（Ｌ）左側開口部  
２１（Ｃ）中央開口部  
２１（Ｒ）右側開口部  
２１（Ｆ）前側開口部  
２２  リブ  
２２（SL）左斜めリブ  
２２（SR）右斜めリブ  
２２（HL）左横リブ  
２２（HR）右横リブ  
２３  括れ部分  
２４  小穴部  
２５  集合部  
４１  基部  
４２  延設部  
４３  スリット部  
４４  凹溝部  
【図１】
0003227024.tif 000003
【図２】
0003227024.tif 000004
【図３】
0003227024.tif 000005
【図４】
0003227024.tif 000006
【図５】
0003227024.tif 000007
【図６】
0003227024.tif 000008
【図７】
0003227024.tif 000009